(57)【要約】【課題】本考案は、杖としての機能を維持しつつ、かつ、別の機能も持つ杖を提供することを目的とする。【解決手段】本考案は、棒状の本体と、掴み部と、接地部とを含み、前記本体の一端に前記掴み部が配置され、前記本体の他端に前記接地部が配置され、前記掴み部は、前記本体の一端と着脱可能であり、前記本体の一端側内部に、外部に開口した空洞が設けられており、前記掴み部を前記本体の一端の装着した場合、前記空洞の開口が閉塞されることを特徴とする。本考案の杖は、使用者の小物等を収容できるという機能を持ち、使用者が亡くなった場合、前記空洞に遺族の手紙を収容し棺桶に遺体と一緒に納棺して、副葬品として使用することも可能である。【選択図】  図２
0003216567.tif 000002
【実用新案登録請求の範囲】
【請求項１】
棒状の本体と、掴み部と、接地部とを含み、
前記本体の一端に前記掴み部が配置され、前記本体の他端に前記接地部が配置され、
前記掴み部は、前記本体の一端と着脱可能であり、
前記本体の一端側内部に、外部に開口した空洞が設けられており、
前記掴み部を前記本体の一端に装着した場合、前記空洞の開口が閉塞される
ことを特徴とする杖。
【請求項２】
さらに、文字表記部を含み、
前記文字表記部は、前記本体の側面に配置されていることを特徴とする請求項１記載の杖。
【請求項３】
前記文字表記部に、宗教上の文章が記載されていることを特徴とする請求項２記載の杖。
【請求項４】
前記掴み部の形状は、略Ｔ字状であることを特徴とする請求項１から３のいずれか一項に記載の杖。
【請求項５】
さらに、リング状の紐部を含み、前記紐部の一部が、前記掴み部に取り付けられていることを特徴とする請求項１から４のいずれか一項に記載の杖。
【請求項６】
杖全体が、焼却処理可能な材質で形成されていることを特徴とする請求項１から５のいずれか一項に記載の杖。
【請求項７】
副葬品として使用可能な請求項１から６のいずれか一項に記載の杖。
【考案の詳細な説明】
【技術分野】
【０００１】
本考案は、副葬品としても使用可能な杖に関する。
【背景技術】
【０００２】
従来から、高齢者等の歩行困難者の歩行を助ける道具として杖が使用されている。杖は、その使用目的から、日常的に使用されるものであり、使用者は、歩行しない場合であっても、肌身離さず杖を側に置いていることが一般的である。
【先行技術文献】
【特許文献】
【０００３】
【特許文献１】実登３０７７３４３号公報
【０００４】
【特許文献２】実登３１６５２２８号公報
【考案の概要】
【考案が解決しようとする課題】
【０００５】
このように、杖は、使用者にとって身近でかつ必要品であるが、単に身体を支持する機能だけではなく、その他の機能を併せ持った杖があれば使用者において有用である。
【０００６】
そこで、本考案は、身体を支持する杖としての機能を維持しつつ、かつ、その他の機能も併せ持つ杖を提供することを目的とする。
【課題を解決するための手段】
【０００７】
前記課題を解決するために、本考案は、棒状の本体と、掴み部と、接地部とを含み、前記本体の一端に前記掴み部が配置され、前記本体の他端に前記接地部が配置され、前記掴み部は、前記本体の一端と着脱可能であり、前記本体の一端側内部に、外部に開口した空洞が設けられており、前記掴み部を前記本体の一端に装着した場合、前記空洞の開口が閉塞されることを特徴とする。
【考案の効果】
【０００８】
本考案の杖によれば、前記本体の中に空洞があるので、この空洞の中に、使用者の持ち物、例えば、メモ、時計、アクセサリー等の小物を保管することが可能である。また、本考案の杖では、掴み部によって、前記本体の空洞の開口を蓋することができ、空洞内に収容した物が落ちたりして紛失することも防止できる。このように、本考案の杖は、使用者の身体を支持する機能と合わせて、使用者等の持ち物を収容するという機能も有し、使用者にとって、大変有用である。
【０００９】
さらに、本考案の杖は、使用者が亡くなった場合は、棺桶に一緒にいれて副葬品としても使用することが可能であり、例えば、前記本体の空洞に、遺族から使用者への手紙を収容して、遺体と一緒に火葬ないし埋葬することもできる。
【図面の簡単な説明】
【００１０】
【図１】図１は、本考案の一例の杖の斜視図である。
【図２】図２Ａは、本考案の一例の杖の分解斜視図であり、図２Ｂは、使用の状態の説明図である。
【図３】図３は、本考案のその他の例の斜視図である。
【考案を実施するための形態】
【００１１】
本考案の杖において、棒状本体の側面に文字表記部が配置されていることが好ましい。前記文字表記部に、仏教であれば経文、キリスト教であれば聖書の文章、イスラム教であればコーランの文章等、使用者の宗教に応じた文章を表記することができる。したがって、文字表記部を持つ本考案の杖は、身体の支持機能及び物の収容機能に加え、精神的な支えの機能を持つことになり、身体的及び精神的な支えの杖である。
【００１２】
以下、本考案の杖について、図１から図３に基づき説明する。図１から図３において、同一部分には同一符号を付している。
【００１３】
図１に、本考案の杖の一例を示す。図示のように、本例の杖１は、棒状本体１１と、掴み部１２と、接地部１３とから構成されている。掴み部１２は、掴みやすいように、略Ｔ字状の形態をしており、棒状本体１１の一端（同図において上端）に配置されている。接地部１３は、棒状本体１１の他端（同図において下端）に配置されている。接地部１３には、滑り止めの目的及び地面からの衝撃の緩和の目的で、ゴム等から形成されたキャップを嵌めてもよい。また、図示していないが、掴み部１２には、リング状の紐部の一端を取り付けてもよい。リング状の紐部を掴み部１２に取り付ければ、リング状の紐部に手を通すことで、杖が手から離れることを防止でき、使用しないときは、壁のフック等に引っ掛けて収容することができる。
【００１４】
つぎに、図２Ａに示すように、掴み部１２は、棒状本体１１の一端（同図において上端）に着脱自在であり、棒状本体１１の一端側（同図において上端）内部には、空洞１５が設けられている。そして、同図Ｂに示すように、棒状本体１１の空洞１５には、手紙２等の小物を収容することが可能である。また、掴み部１２を棒状本体１１の一端（同図において上端）に取り付けることにより、棒状本体１１の空洞１５の開口を閉塞（蓋）することができ、これにより、空洞１５に収容された小物等の紛失を防止できる。また、棒状本体１１の空洞１５内壁と掴み部１２に、例えば、ねじ溝を切ったり、係止機構を設ける等して、棒状本体１１に掴み部１２が固定されていることが好ましい。
【００１５】
次に、図３に、本考案のその他の例の杖を示す。同図に示すように、本例の杖１では、棒状本体１１の側面に、文字表記部１４が配置されている。文字表記部１４に表記する文字は、特に制限されない。使用者が仏教徒である場合、その宗派に応じて、例えば、般若心経の経文、念仏の「南無阿弥陀仏」、お題目の「南無妙法蓮華経」、ご真言の光明真言等、御宝号の「南無大師遍照金剛」等がある。使用者が、キリスト教信者であれば、例えば、ハレルヤ等の聖書の文句を表記してもよいし、イスラム教信者の場合は、コーランの一節を表記してもよい。なお、本考案の杖では、宗教的な文章に限定されず、先人の格言、詩、ポピュラーソングの歌詞等、使用者の好みに応じて、文章を表記してもよい。
【００１６】
本考案の杖は、前述のように、使用者が亡くなった場合、棺桶に遺体と一緒に納棺して、副葬品として使用することも可能である。副葬品として使用する場合、本例の杖は、例えば、木材、竹材等のような焼却可能な材料で形成されていることが好ましい。また、前記空洞には、例えば、遺族からの手紙を収容して遺体と一緒に納棺してもよい。
【符号の説明】
【００１７】
１      杖
２      手紙
１１    棒状本体
１２    掴み部
１３    接地部
１４    文字表記部
１５    空洞
【図１】
0003216567.tif 000003
【図２】
0003216567.tif 000004
【図３】
0003216567.tif 000005